(57)【要約】ランプヘッド組立体が提供される。ランプヘッド組立体は、熱伝導性ブロックと、流入口冷却液パイプであって、当該流入口冷却液パイプから熱伝導性ブロックまで流れるように冷却液を構成すべく熱伝導性ブロックに連結された流入口冷却液パイプと、熱伝導性ブロックに固定された金属製熱交換器とを備える。金属製熱交換器は、流入口冷却液パイプによって供給される冷却液を分配するための複数の内部流路を画定する。金属製熱交換器は、熱伝導性ブロックから金属製熱交換器によって画定された複数の内部流路まで流れるように冷却液を構成すべく熱伝導性ブロックに固定されている。ランプヘッド組立体は、金属製熱交換器に固定された複数の光発生素子も備える。【選択図】図５
2018503950.tif 000002
【特許請求の範囲】
【請求項１】
熱伝導性ブロックと、
流入口冷却液パイプであって、前記流入口冷却液パイプから前記熱伝導性ブロックまで流れるように冷却液を構成すべく前記熱伝導性ブロックに連結された前記流入口冷却液パイプと、
前記熱伝導性ブロックに固定された金属製熱交換器であって、前記流入口冷却液パイプによって供給される冷却液を分配するための複数の内部流路を画定し、前記熱伝導性ブロックから前記金属製熱交換器によって画定された前記複数の内部流路まで流れるように前記冷却液を構成すべく前記熱伝導性ブロックに固定された前記金属製熱交換器と、
前記金属製熱交換器に固定された複数の光発生素子と
を備える、ランプヘッド組立体。
【請求項２】
前記複数の光発生素子はＵＶ−ＬＥＤ素子である、請求項１に記載のランプヘッド組立体。
【請求項３】
前記金属製熱交換器に供給される冷却液は、前記ＵＶ−ＬＥＤ素子によって生じた熱を排除するように構成されている、請求項２に記載のランプヘッド組立体。
【請求項４】
一定の長さの前記流入口冷却液パイプの少なくとも一部を囲んでいる一対のアルミニウムプレートを更に備える、請求項１から請求項３のいずれか１項に記載のランプヘッド組立体。
【請求項５】
流出口冷却液パイプを更に備え、一定の長さの前記流出口冷却液パイプの少なくとも一部は前記一対のアルミニウムプレートによって囲まれている、請求項４に記載のランプヘッド組立体。
【請求項６】
前記一対のアルミニウムプレートのそれぞれは、前記流入口冷却液パイプの一部を収容するための各空洞を画定する、請求項４に記載のランプヘッド組立体。
【請求項７】
電流を供給して前記複数の光発生素子の少なくとも一部にエネルギーを与えるためのドライバ回路を含む回路基板が前記アルミニウムプレートの一方の表面に固定されている、請求項４に記載のランプヘッド組立体。
【請求項８】
電流を供給して前記複数の光発生素子の別の一部にエネルギーを与えるためのドライバ回路を含む別の回路基板が前記アルミニウムプレートの他方の表面に固定されている、請求項７に記載のランプヘッド組立体。
【請求項９】
前記アルミニウムプレートの前記一方は、前記流入口冷却液パイプからの冷却効果を受けることにより、前記ドライバ回路によって生じた熱を排除する、請求項７に記載のランプヘッド組立体。
【請求項１０】
電源から前記ランプヘッド組立体に電気エネルギーを供給して前記複数の光発生素子に給電するための少なくとも１本の電気ケーブルを更に備える、請求項１から請求項９のいずれか１項に記載のランプヘッド組立体。
【請求項１１】
電気的に導通したグラウンド経路が、前記流入口冷却液パイプ、前記熱伝導性ブロック及び前記金属製熱交換器のそれぞれの間に確立される、請求項１から請求項１０のいずれか１項に記載のランプヘッド組立体。
【請求項１２】
前記電気的に導通したグラウンド経路は、前記ランプヘッド組立体の電気的構成要素であって、電流を供給して前記複数の光発生素子にエネルギーを与える複数のドライバ回路を含む前記電気的構成要素にグラウンド経路を提供するように構成されている、請求項１１に記載のランプヘッド組立体。
【請求項１３】
前記流入口冷却液パイプは、半田付け、鑞付け及び溶着の少なくとも１つを使用して前記熱伝導性ブロックに連結されている、請求項１から請求項１２のいずれか１項に記載のランプヘッド組立体。
【請求項１４】
前記熱伝導性ブロック、前記流入口冷却液パイプ及び前記金属製熱交換器のそれぞれは、銅を含む材料から形成されている、請求項１から請求項１３のいずれか１項に記載のランプヘッド組立体。
【請求項１５】
ランプヘッド組立体の組立方法であって、
流入口冷却液パイプから熱伝導性ブロックまで流れるように冷却液を構成すべく前記流入口冷却液パイプを前記熱伝導性ブロックに連結する工程（ａ）と、
金属製熱交換器を前記熱伝導性ブロックに固定する工程（ｂ）であって、前記金属製熱交換器は、前記流入口冷却液パイプによって供給される冷却液を分配するための複数の内部流路を画定し、前記熱伝導性ブロックから前記金属製熱交換器によって画定された前記複数の内部流路まで流れるように前記冷却液を構成すべく前記熱伝導性ブロックに固定される、前記工程（ｂ）と、
複数の光発生素子を前記金属製熱交換器に固定する工程（ｃ）と
を含む、前記方法。
【請求項１６】
前記流入口冷却液パイプの少なくとも一部を一対の熱伝導性プレートで囲む工程（ｄ）を更に含む、請求項１５に記載の方法。
【請求項１７】
工程（ｄ）は、前記熱伝導性プレートのそれぞれによって画定された空洞に前記流入口冷却液パイプの一部を整列させる工程を含む、請求項１６に記載の方法。
【請求項１８】
前記一対の熱伝導性プレートの第１の外表面に第１の回路基板を固定し、前記一対の熱伝導性プレートの第２の外表面に第２の回路基板を固定する工程（ｅ）であって、前記第１の回路基板は、前記複数の光発生素子のある光発生素子に電気エネルギーを供給するように構成された第１の複数のドライバ回路を含み、前記第２の回路基板は、前記複数の光発生素子の他の光発生素子に電気エネルギーを供給するように構成された第２の複数のドライバ回路を含む、前記工程（ｅ）を更に含む、請求項１６または請求項１７に記載の方法。
【請求項１９】
工程（ａ）は、前記熱伝導性ブロックから冷却液供給源まで流出口冷却液パイプを通って流れるように前記冷却液を構成すべく前記流出口冷却液パイプを前記熱伝導性ブロックに連結することも含む、請求項１５から請求項１８のいずれか１項に記載の方法。
【請求項２０】
前記複数の光発生素子の領域に冷却を施すために前記金属製熱交換器へと前記冷却液を供給する工程を更に含み、前記冷却液を供給する前記工程は、（ｉ）前記冷却液供給源から前記熱伝導性ブロックへと前記流入口冷却液パイプを通して前記冷却液を流すことと、（ｉｉ）前記熱伝導性ブロックを通して前記金属製熱交換器へと前記冷却液を流すことと、（ｉｉｉ）前記金属製熱交換器から前記冷却液供給源まで前記流出口冷却液パイプを通して前記冷却液を戻すこととを含む、請求項１９に記載の方法。
【発明の詳細な説明】
【技術分野】
【０００１】
関連出願の相互参照
本出願は、２０１５年１月１５日出願の米国仮特許出願第６２／１０３，９５９号及び２０１６年１月１３日出願の米国特許出願第１４／９９４，４６２号の利点を主張するものであり、その両方の内容は、参照によってその全体が本明細書に組み込まれる。
【０００２】
本発明は、液冷式ランプシステム用のランプヘッド組立体に関し、より具体的には、金属本体部を備えた、かかるランプヘッド組立体に関する。
【背景技術】
【０００３】
光発生素子（例えば、ＵＶ−ＬＥＤとしても知られている紫外線照射ＬＥＤ）を備えたランプシステムが、例えば、ＵＶ硬化用途（例えば、インク、接着剤などの結合剤、コーティングなどのＵＶ硬化）などの多くの用途に関連して使用されている。ある光発生デバイス（例えば、一群のＵＶ−ＬＥＤ）は、相当量の熱を生じるが、通常、冷却液を使用して冷却される。
【０００４】
例えば、冷却液は、冷凍システムによって供給される水であってもよい。光発生素子を搬送し、光発生素子の領域への冷却液の分配を行う組立体は、「ランプヘッド組立体」と呼ばれる場合がある。
【０００５】
ランプヘッド組立体は、光発生デバイスの支持、光発生デバイスに給電するためのエネルギーの分配及び制御、ならびに冷却液の分配といった多くの目的を果たす。ランプヘッド組立体の開発においては、特に、コスト、製造時間、エネルギー効率、信頼性（例えば、冷却液の収容に関する信頼性）といった多くの課題がある。
【０００６】
従って、改良したランプヘッド組立体、ならびにかかるランプヘッド組立体の組立及び操作方法を提供することが望まれている。
【発明の概要】
【０００７】
本発明の例示的な実施形態によれば、ランプヘッド組立体が提供される。ランプヘッド組立体は、熱伝導性ブロックと、流入口冷却液パイプであって、当該流入口冷却液パイプから熱伝導性ブロックまで流れるように冷却液を構成すべく熱伝導性ブロックに連結された流入口冷却液パイプと、熱伝導性ブロックに固定された金属製熱交換器とを備える。金属製熱交換器は、流入口冷却液パイプによって供給される冷却液を分配するための複数の内部流路を画定する。金属製熱交換器は、熱伝導性ブロックから金属製熱交換器によって画定された複数の内部流路まで流れるように冷却液を構成すべく熱伝導性ブロックに固定されている。ランプヘッド組立体は、金属製熱交換器に固定された複数の光発生素子も備える。
【０００８】
本発明の別の例示的な実施形態によれば、ランプヘッド組立体の組立方法が提供される。この方法は、流入口冷却液パイプから熱伝導性ブロックまで流れるように冷却液を構成すべく流入口冷却液パイプを熱伝導性ブロックに連結する工程（ａ）と、金属製熱交換器を熱伝導性ブロックに固定する工程（ｂ）であって、金属製熱交換器は、流入口冷却液パイプによって供給される冷却液を分配するための複数の内部流路を画定し、熱伝導性ブロックから金属製熱交換器によって画定された複数の内部流路まで流れるように冷却液を構成すべく熱伝導性ブロックに固定される、工程（ｂ）と、複数の光発生素子を金属製熱交換器に固定する工程（ｃ）とを含む。
【０００９】
本発明は、添付図面と併せて読むときに以下の詳細な説明から最も理解される。慣例に従って、図面の各種特徴は縮尺通りではないことが強調される。別の見方をすれば、各種特徴の寸法は、分かりやすくするために任意に拡大または縮小される。図面には以下の図が含まれる。
【図面の簡単な説明】
【００１０】
【図１Ａ】本発明の例示的な実施形態に従ったランプヘッド組立体の上面図である。
【図１Ｂ】本発明の例示的な実施形態に従った図１Ａのランプヘッド組立体の上面斜視図である。
【図１Ｃ】本発明の例示的な実施形態に従った図１Ａのランプヘッド組立体の別の上面斜視図である。
【図２Ａ】本発明の別の例示的な実施形態に従ったランプヘッド組立体の上面図である。
【図２Ｂ】本発明の例示的な実施形態に従った図２Ａのランプヘッド組立体の上面斜視図である。
【図２Ｃ】本発明の例示的な実施形態に従った、上部の熱伝導性プレートをランプヘッド組立体の残部から分離した状態の図２Ａのランプヘッド組立体の上面図である。
【図２Ｄ】本発明の例示的な実施形態に従った図２Ａのランプヘッド組立体の側面斜視分解図である。
【図３Ａ】本発明の更に別の例示的な実施形態に従ったランプヘッド組立体の上面図である。
【図３Ｂ】本発明の例示的な実施形態に従った図３Ａのランプヘッド組立体の上面斜視図である。
【図４】本発明の更に別の例示的な実施形態に従ったランプヘッド組立体の側面斜視図である。
【図５】本発明の例示的な実施形態に従ったランプヘッド組立体の組立方法を示すフロー図である。
【発明を実施するための形態】
【００１１】
本発明のある例示的な実施形態によれば、液冷式ランプ用の金属製ランプ本体組立体（すなわち、ランプヘッド組立体）は、例えば、出力光がランバート（余弦）分布をとる光源を使用して提供される。ランプヘッド組立体は、金属製熱交換器（例えば、銅製冷却ブロック）を備えてもよく、これには、ＵＶ−ＬＥＤストリップ（または、別の配置の光発生デバイス）が装着される。（例えば、銅管製、ステンレス鋼管製などの）流入出口冷却液パイプは、例えば、熱伝導性ブロックを通して、金属製熱交換器に冷却液を供給して光源を冷却する。
【００１２】
（ＵＶ−ＬＥＤ素子などの光発生素子によって生じた熱を排除するように構成された）冷却液は、閉ループ構成（例えば、密封された給水系統）で供給されてもよい。この場合、水冷機が冷却液をランプヘッド組立体に供給し、次いで、冷却効果を与えた後に冷却液が水冷機に戻る。
【００１３】
更に、ランプヘッド組立体は、流入出口冷却液パイプに装着された一対の熱伝導性プレート（例えば、堅固なアルミニウムプレート）を備えて、（その一対の熱伝導性プレート上に載置された）回路基板から流入出口冷却液パイプへと熱を伝達するようにしてもよい。流入出口冷却液パイプ（これらのパイプは、銅管及び銅管継手を備えてもよく、またはステンレス鋼などの他の材料によって形成されてもよい）と熱伝導性ブロック（このブロックは銅によって形成されてもよい）とを、半田付け、鑞付け、溶着などによって接合して、望ましくは、相当な液圧（例えば、１００ｐｓｉ超）に対応可能な漏れのない組立体を提供するようにしてもよい。
【００１４】
本明細書に記載したランプヘッド組立体は、限られた数の部品を備える。これらの部品は、低コストで容易に製造できるように設計されている。金属製ランプヘッド本体組立体は、組立が容易である。（例えば、接合部の強度を試験するための）簡単な冷却液圧試験を、金属製ランプヘッド本体組立体を残りのランプ組立体の構成要素に組付ける前に実施してもよい。
【００１５】
設計が単純であることに加え、構成要素の数が限られていることにより、代替の解決策に比べて相当なコストの節減が実現され得る。更なる利点には、冷却液要素の圧力試験の簡便化を促進する設計により、冷却液組立体接合部の接合及び封止が堅牢になることが含まれ得る。また、流入出口冷却液パイプと接触している金属製（例えば、アルミニウム製）熱伝導性プレートを含む実施形態において、電気回路を、熱伝導性プレートの表面に（すなわち、冷却液パイプから離れたプレートの外表面に）直接結合してもよい。
【００１６】
図１Ａ〜１Ｃは、ランプヘッド組立体１００の各種の図を提供する。ランプヘッド組立体１００は、熱伝導性ブロック１０６（例えば、銅製冷却ブロック）を備える。流入口冷却液パイプ１０２及び流出口冷却液パイプ１０４は、熱伝導性ブロック１０６に連結されている。例えば、流入口冷却液パイプ１０２及び流出口冷却液パイプ１０４のそれぞれは、銅（またはステンレス鋼などの別の材料）によって形成されてもよく、半田付け、鑞付け、溶着などの少なくとも１つを使用して熱伝導性ブロック１０６に連結されてもよい。図１Ｂに示すように、流入口冷却液パイプ１０２及び流出口冷却液パイプ１０４のそれぞれの反対側端部は、管継手１０２ａ、１０４ａ（例えば、ねじ込み式の銅製管継手）を備える。ランプヘッド組立体１００は、熱伝導性ブロック１０６に固定された金属製熱交換器１０８も備える。図１Ｃに示すように、複数の光発生素子１１０が金属製熱交換器１０８に固定されている。簡単にするために図１Ｃにおいては複数の光発生素子１１０をストリップとして示しているが、複数の光発生素子１１０を任意の望ましい構成で配置してもよいことが理解される。複数の光発生素子１１０は、複数の紫外線（ＵＶ）発光ダイオード（ＬＥＤ）デバイス（すなわち、ＵＶ−ＬＥＤダイ）であってもよい。金属製熱交換器１０８は、流入口冷却液パイプ１０２によって供給され、熱伝導性ブロック１０６を通って最初に流れる冷却液を収容及び分配するための複数の内部流路（図１Ａ〜１Ｃにおいては見えない）を画定する。
【００１７】
複数の光発生素子１１０は、動作中に過剰な熱を生じる傾向がある。冷却液（例えば、冷却機によって供給される冷却水、図示せず）は、流入口冷却液パイプ１０２を通ってランプヘッド組立体１００に入る。冷却液は、流入口冷却液パイプ１０２から熱伝導性ブロック１０６に入り、そこから、金属製熱交換器１０８によって画定された複数の内部流路に入る。複数の内部流路は、複数の光発生素子１１０の近くに冷却液を導いて冷却効果を与えるように設計されている。複数の冷却流路から、冷却液は金属製熱交換器１０８に再び入る。その後、冷却液は、流出口冷却液パイプ１０４を介して冷却液供給源（例えば、水冷機システム）に戻る。
【００１８】
図２Ａ〜２Ｄは、ランプヘッド組立体２００の各種の図を提供する。ランプヘッド組立体２００は、同様の流入口冷却液パイプ１０２、流出口冷却液パイプ１０４、熱伝導性ブロック１０６、金属製熱交換器１０８及び複数の光発生素子１１０−例えば、図１Ａ〜１Ｃに関して上に示し、記載した全て−を備える。ランプヘッド組立体２００は、一定の長さの流入口冷却液パイプ１０２の少なくとも一部及び流出口冷却液パイプ１０４の一部を囲んでいる一対の熱伝導性プレート２０２（例えば、アルミニウムプレートブロック）も備える。一対の熱伝導性プレート２０２は、上部プレート２０２ａ及び下部プレート２０２ｂを含む（プレートを「上部」及び「下部」と命名することは任意であり、単に図面に示した方向を指す）。図２Ｃ〜２Ｄに示すように、上部プレート２０２ａ及び下部プレート２０２ｂのそれぞれは、流入口冷却液パイプ１０２及び流出口冷却液パイプ１０４の一部を収容するための空洞を画定する。より具体的には、上部プレート２０２ａは、第１の空洞２０２ａ１及び第２の空洞２０２ａ２を画定する。同様に、下部プレート２０２ｂは、第１の空洞２０２ｂ１及び第２の空洞２０２ｂ２を画定する。空洞２０２ａ１、２０２ａ２、２０２ｂ１及び２０２ｂ２は、望ましくは円弧状であり、流入口冷却液パイプ１０２及び流出口冷却液パイプ１０４の各部分の外形に近似するようになっている。従って、（ｉ）空洞２０２ａ１、２０２ａ２、２０２ｂ１及び２０２ｂ２と、（ｉｉ）流入口冷却液パイプ１０２及び流出口冷却液パイプ１０４との間の嵌合が、望ましくは比較的緊密な嵌合となる−それにより、それらの間の熱交換が良好に行われる。図２Ｄは、上部プレート２０２ａを下部プレート２０２ｂに固定するためのプレート締結ねじ２０２ａ３及び対応する開口２０２ｂ３を示す。
【００１９】
図３Ａ〜３Ｂは、ランプヘッド組立体３００の各種の図を提供する。ランプヘッド組立体３００は、同様の流入口冷却液パイプ１０２、流出口冷却液パイプ１０４、熱伝導性ブロック１０６、金属製熱交換器１０８及び複数の光発生素子１１０−例えば、図１Ａ〜１Ｃに関して上に示し、記載した全て−を備える。ランプヘッド組立体３００は、同様の一対の熱伝導性プレート２０２（上部プレート２０２ａ及び下部プレート２０２ｂを含む）−図２Ａ〜２Ｄに関して上に示し、記載した−も備える。
【００２０】
ランプヘッド組立体３００は、回路基板３０４ａも備える。この基板は、電流を供給して複数の光発生素子１１０の少なくとも一部にエネルギーを与えるための複数のドライバ回路３０２を含む。回路基板３０４ａは、上部プレート２０２ａの表面に固定されている。図３Ａ〜３Ｂにおいては一部分のみが見えているが、ランプヘッド組立体３００は、別の回路基板３０４ｂも備える。この基板は、電流を供給して複数の光発生素子１１０の別の一部にエネルギーを与えるための複数のドライバ回路３０２（見えない）を含む。回路基板３０４ｂは、下部プレート２０２ｂの表面に固定されている。当業者によって理解されるであろうが、電流は、電源（例えば、遠隔電源、図示せず）によって供給される。この場合、複数の光発生素子１１０に印加する前に、（例えば、回路基板３０４ａ、３０４ｂ上で）電流の調整、変換などを行ってもよい。この電流は、各種ドライバ回路３０２に分配された後、各種光発生素子１１０に供給される。駆動回路３０２からの熱は、流入口冷却液パイプ１０２（及びおそらくは流出口冷却液パイプ１０４）、上部プレート２０２ａ、下部プレート２０２ｂ、回路基板３０４ａ、ならびに回路基板３０４ｂの間の熱冷却経路によってある程度放散される。
【００２１】
図４は、ランプヘッド組立体４００を示す。ランプヘッド組立体４００は、同様の流入口冷却液パイプ１０２、流出口冷却液パイプ１０４、熱伝導性ブロック１０６、金属製熱交換器１０８及び複数の光発生素子１１０−例えば、図１Ａ〜１Ｃに関して上に示し、記載した全て−を備える。ランプヘッド組立体４００は、同様の一対の熱伝導性プレート２０２（上部プレート２０２ａ及び下部プレート２０２ｂを含む）−例えば、図２Ａ〜２Ｄに関して上に示し、記載した−も備える。ランプヘッド組立体４００は、同様の回路基板３０４ａ、回路基板３０４ｂ及びドライバ回路３０２−例えば、図３Ａ〜３Ｂに関して上に示し、記載した全て−も備える。
【００２２】
ランプヘッド組立体４００は、導体４０２（例えば、銅製の導体棒）も備える。この導体は、ドライバ回路３０２と光発生素子１１０の間の電流経路を提供する。ランプヘッド組立体４００は、電気ケーブル４０４ａ、４０４ｂも備える。これらのケーブルは、電源（例えば、遠隔電源、図示せず）から電気エネルギーを供給する。この電気エネルギーは、各種ドライバ回路３０２に分配される。
【００２３】
図４は、流入口冷却液パイプ１０２及び流出口冷却液パイプ１０４のそれぞれの端部に設けられた迅速連結継手１０２ｂ、１０４ｂも示す。（この場合、迅速連結継手１０２ｂ、１０４ｂは、図１Ｂに示したねじ込み式の銅製管継手１０２ａ、１０４ａに係合される）。
【００２４】
本発明のある例示的な実施形態に従って、流入口冷却液パイプ、流出口冷却液パイプ、熱伝導性ブロック、金属製熱交換器及び一対の熱伝導性プレートのそれぞれを含む、電気的に導通したグラウンド経路が確立される。電気的に導通したグラウンド経路は、回路基板上に含まれる電気的構成要素（例えば、ドライバ回路など）などのランプヘッド組立体の電気的構成要素にグラウンド経路を提供するように望ましくは構成されている。
【００２５】
図５は、本発明のある例示的な実施形態に従ったフロー図である。当業者によって理解されるように、フロー図に含まれるある工程を省略してもよく、ある別の工程を追加してもよく、工程の順序を例示した順序から変えてもよい。
【００２６】
図５のフロー図を具体的に参照すると、ランプヘッド組立体の組立方法が提供される。工程５００で、流入口冷却液パイプから熱伝導性ブロックまで流れるように冷却液を構成すべく、流入口冷却液パイプ及び流出口冷却液パイプ（例えば、図１Ａ〜１Ｃに示した、例えば、流体パイプ１０２、１０４）を熱伝導性ブロック（例えば、図１Ａ〜１Ｃに示した、例えば、熱伝導性ブロック１０６）に連結する。工程５０２で、金属製熱交換器（例えば、図１Ａ〜１Ｃに示した、例えば、金属製熱交換器１０８）を熱伝導性ブロックに固定する。金属製熱交換器は、流入口冷却液パイプによって供給される冷却液を分配するための複数の内部流路を画定する。金属製熱交換器は、熱伝導性ブロックから金属製熱交換器によって画定された複数の内部流路まで流れるように冷却液を構成すべく熱伝導性ブロックに固定されている。工程５０４で、複数の光発生素子（例えば、図１Ｃに示した、例えば、光発生素子１１０であり、これらの素子は、ＵＶ−ＬＥＤ光発生デバイスの複数の配列であってもよい）を金属製熱交換器に固定する。
【００２７】
工程５０６で、流入口冷却液パイプ及び流出口冷却液パイプのそれぞれの少なくとも一部を一対の熱伝導性プレート（例えば、図２Ａ〜２Ｄに示した、例えば、熱伝導性プレート２０２ａ、２０２ｂ）で囲む。より具体的には、工程５０６において、図２Ｃ〜２Ｄを具体的に参照すると、流入口冷却液パイプ１０２及び流出口冷却液パイプ１０４の一部を各空洞２０２ａ１、２０２ｂ１、２０２ａ２及び２０２ｂ２に整列させることにより、組立てた後にこれらの空洞と冷却液パイプ１０２、１０４とによって密接な嵌合が得られるようにする。
【００２８】
工程５０８で、一対の熱伝導性プレートの第１の外表面に第１の回路基板を固定し（例えば、図３Ａ〜３Ｂに示した、例えば、回路基板３０４ａを熱伝導性プレート２０２ａに固定し）、一対の熱伝導性プレートの第２の外表面に第２の回路基板を固定する（例えば、図３Ｂに示した、例えば、回路基板３０４ｂを熱伝導性プレート２０２ｂに固定する）。第１の回路基板は、複数の光発生素子のある光発生素子に電気エネルギーを供給するように構成された第１の複数のドライバ回路を含み、第２の回路基板は、複数の光発生素子の他の光発生素子に電気エネルギーを供給するように構成された第２の複数のドライバ回路を含む。例えば、図３Ａ〜３Ｂを具体的に参照すると、複数のドライバ回路３０２が各回路基板３０４ａ及び３０４ｂに設けられており、光発生素子１１０のある光発生素子に電気エネルギーを供給できるようになっている。例えば、図４を具体的に参照すると、導体４０２（例えば、銅製の導体棒）は、回路基板３０４ａ、３０４ｂのそれぞれに設けられたドライバ回路３０２のあるドライバ回路と対応する光発生素子１１０との間の電流経路を提供する。
【００２９】
工程５１０で、複数の光発生素子の領域に冷却を施すために金属製熱交換器へと冷却液を供給する。複数の光発生素子をこのように冷却することは、（ｉ）冷却液供給源（例えば、冷却機）から熱伝導性ブロックへと流入口冷却液パイプを通して冷却液を流すこと、（ｉｉ）熱伝導性ブロックを通して金属製熱交換器へと冷却液を流すこと、及び（ｉｉｉ）金属製熱交換器から冷却液供給源まで流出口冷却液パイプを通して冷却液を戻すことを含む。
【００３０】
本明細書に記載した本発明の各種実施形態を通じて、電気的に導通したグラウンド経路は、流入口冷却液パイプ、熱伝導性ブロック及び金属製熱交換器のそれぞれの間に確立される−それらの全ては、金属材料（例えば、銅）によって形成され得る。かかる経路は、電気的なグラウンド接続を、電流を供給して複数の光発生素子にエネルギーを与える複数のドライバ回路などの、ランプヘッド組立体の電気的構成要素に提供し得る。
【００３１】
本発明の各種実施形態は、熱伝導性ブロック（例えば、図面に示した素子１０６）と金属製熱交換器（例えば、図面に示した素子１０８）を別々の構成要素として例示したが、これらの要素は、単一の要素に組み合わされてもよく、単一片の材料（例えば、単一片の銅材料）から形成されてもよいことが理解される。
【００３２】
本発明は、ある光発生素子（例えば、ＵＶ−ＬＥＤ素子）に関して記載されているが、それに限定されることはない。例えば、非ＵＶ素子に加えて、他のＵＶ光発生素子も企図される。光発生素子は、任意の所望の構成で（例えば、かかる素子の複数の列及び／または複数の配列で）配置されてもよい。
【００３３】
具体的な実施形態に関して本明細書において本発明を例示及び説明したが、本発明は、示した詳細事項に限定されるように意図されるものではない。むしろ、特許請求の範囲の均等物の有効範囲及び適用範囲内で、かつ本発明から逸脱することなく、そのような詳細事項において様々な修正がなされてもよい。
【図１Ａ】
2018503950.tif 000003
【図１Ｂ】
2018503950.tif 000004
【図１Ｃ】
2018503950.tif 000005
【図２Ａ】
2018503950.tif 000006
【図２Ｂ】
2018503950.tif 000007
【図２Ｃ】
2018503950.tif 000008
【図２Ｄ】
2018503950.tif 000009
【図３Ａ】
2018503950.tif 000010
【図３Ｂ】
2018503950.tif 000011
【図４】
2018503950.tif 000012
【図５】
2018503950.tif 000013
【国際調査報告】
2018503950.tif 000014
2018503950.tif 000015
2018503950.tif 000016